(57)【特許請求の範囲】
【請求項１】
ケーブルや組電線等の索条部材が一体的に設けられた部品を被締め付け部位にねじ込むための締め付け工具であって、
前記部品のねじ込み操作部が嵌合されるソケット部と、
前記ねじ込み操作部が嵌合された前記ソケット部を回転させる際、該ソケット部と一体的に回転して前記部品に設けられた前記索条部材を巻き取るリール部と、
前記リール部に前記索条部材を巻き取る際に該索条部材をガイドする一方、前記ソケット部を前記ねじ込み操作部から離脱させる際にガイド姿勢から解除されて前記索条部材を前記リール部から取り外し可能にする可倒式ガイド手段と、
を備えることを特徴とする索条部材付き部品用締め付け工具。
【請求項２】
請求項１記載の締め付け工具において、前記リール部は、工具本体に設けられるとともに、
前記ソケット部は、前記工具本体に着脱自在に構成されることを特徴とする索条部材付き部品用締め付け工具。
【請求項３】
請求項１または２記載の締め付け工具において、前記可倒式ガイド手段は、揺動可能に支持される係止部材と、
前記係止部材を前記リール部の巻き取り面より径方向外方に突出するガイド姿勢に付勢する弾性部材と、
を備えることを特徴とする索条部材付き部品用締め付け工具。
【請求項４】
請求項１乃至３のいずれかに記載の締め付け工具において、前記可倒式ガイド手段を前記ガイド姿勢に保持するための付勢力を調整可能な付勢力調整手段を備えることを特徴とする索条部材付き部品用締め付け工具。
【発明の詳細な説明】
【０００１】
【産業上の利用分野】
本発明は、ケーブルや組電線等の索条部材が一体的に設けられた部品を被締め付け部位にねじ込むための索条部材付き部品用締め付け工具に関する。
【０００２】
【従来の技術】
一般に、ケーブルや組電線（ハーネス）等の索条部材が一体的に設けられた部品を、所定の被締め付け部位に対し自動的にあるいは手作業によりねじ込む作業が広く行われている。この種の索条部材付き部品としては、例えば、自動車において、種々の物理量をリアルタイムで検出するためのセンサ類が挙げられる。
【０００３】
【発明が解決しようとする課題】
ところで、上記の部品を被締め付け部位にねじ込む際、この部品に設けられた索条部材が該部品と一体的に回転することになり、前記索条部材に捩れが発生してしまう。従って、部品の締め付け作業後に、索条部材の捩れを解くための作業が必要となってしまい、該部品の締め付け作業全体の効率化を図る上で問題がある。
【０００４】
また、部品の締め付け時に索条部材が振り回されてしまい、周囲の機器等に干渉する場合がある。そこで、索条部材や周囲の機器等の損傷を防止するために、保護具等の傷防止構造が必要となり、これによって部品点数の増加や作業の複雑化が惹起され、コストアップになるという問題がある。
【０００５】
本発明は、この種の問題を解決するものであり、部品の締め付け作業時に、索条部材の捩れや周辺機器等への干渉を阻止することができ、作業効率の向上およびコストダウンが可能な索条部材付き部品用締め付け工具を提供することを目的とする。
【０００６】
【課題を解決するための手段】
前記の課題を解決するために、本発明は、ケーブルや組電線等の索条部材が一体的に設けられた部品を被締め付け部位にねじ込むための締め付け工具であって、
前記部品のねじ込み操作部が嵌合されるソケット部と、
前記ねじ込み操作部が嵌合された前記ソケット部を回転させる際、該ソケット部と一体的に回転して前記部品に設けられた前記索条部材を巻き取るリール部と、
前記リール部に前記索条部材を巻き取る際に該索条部材をガイドする一方、前記ソケット部を前記ねじ込み操作部から離脱させる際にガイド姿勢から解除されて前記索条部材を前記リール部から取り外し可能にする可倒式ガイド手段と、
を備えることを特徴とする。
【０００７】
また、本発明は、前記リール部が工具本体に設けられるとともに、前記ソケット部が前記工具本体に着脱自在に構成される。
【０００８】
さらに、本発明は、前記可倒式ガイド手段が揺動可能に支持される係止部材と、前記係止部材を前記リール部の巻き取り面より径方向外方に突出するガイド姿勢に付勢する弾性部材と、を備える。
【０００９】
さらにまた、本発明は、前記可倒式ガイド手段を前記ガイド姿勢に保持するための付勢力を調整可能な付勢力調整手段を備える。
【００１０】
【作用】
本発明に係る索条部材付き部品用締め付け工具では、部品のねじ込み操作部がソケット部に嵌合され、このソケット部が回転されると、前記部品が被締め付け部位にねじ込まれるとともに、該部品に一体的に設けられた索条部材が可倒式ガイド手段に案内されてリール部に円滑に巻き取られる。そして、締め付け作業が完了した後、ソケット部をねじ込み操作部から離脱させると、可倒式ガイド手段がガイド姿勢から解除されるため、索条部材がリール部から円滑に取り外される。これによって、部品の締め付け作業時に、索条部材の捩れや周辺機器等との干渉を確実に阻止することができる。
【００１１】
また、ソケット部が工具本体に着脱自在に構成されるため、部品およびねじ込み操作部の寸法や形状が異なる場合に、ソケット部のみを交換するだけでよく、同一の工具本体を有効に活用することができ、汎用性の向上が図られる。
【００１２】
さらに、可倒式ガイド手段が、弾性部材に付勢される係止部材を備えており、索条部材が被締め付け部位に対し部品と一体的に固定されているため、締め付け作業後に締め付け工具が引張されると、この索条部材を介して前記係止部材に引張力が作用し、この係止部材が前記弾性部材に抗してガイド姿勢から解除される。これによって、可倒式ガイド手段を傾動させるための特別な構造を必要とせず、締め付け工具全体の構成を簡素化することが可能になるとともに、操作が容易なものとなる。
【００１３】
さらにまた、付勢力調整手段が設けられているため、索条部材の強度に応じて可倒式ガイド手段の付勢力を調整することができ、汎用性が向上する。
【００１４】
【実施例】
本発明に係る索条部材付き部品用締め付け工具について実施例を挙げ、添付の図面を参照しながら以下詳細に説明する。
【００１５】
図１は、本発明に係る締め付け工具が使用されるＯ２  センサの説明図、図２は、第１の実施例に係る締め付け工具の概略斜視図、図３は、可倒式ガイド手段の側面説明図、図４〜図６は、前記締め付け工具の動作説明図、図７は、第２の実施例に係る締め付け工具の分解斜視図、図８は、前記締め付け工具の正面図である。
【００１６】
図１において、参照数字１０は、排気ガス洗浄用の触媒コンバータを示し、この触媒コンバータ１０に形成されたねじ溝１２に、Ｏ２  センサ（酸素センサ）１４がねじ込まれる。Ｏ２  センサ１４は、排気ガス検出部１６と、ねじ部１８が設けられたねじ込み操作部２０と、センサ本体部２２と、カプラー２４が連結された組電線（ハーネス）２６とを一体的に結合して構成されている。
【００１７】
図２には、第１の実施例に係る締め付け工具３０が示されている。この締め付け工具３０は、ねじ込み部品であるＯ２  センサ１４のねじ込み操作部２０が嵌合されるソケット部３２と、このソケット部３２と一体的に回転して前記Ｏ２  センサ１４の組電線２６を巻き取るリール部３４と、このリール部３４に前記組電線２６をガイドする一方、ねじ込み完了後に該組電線２６を前記リール部３４から円滑に取り外し可能にする可倒式ガイド手段３６とを備える。
【００１８】
ソケット部３２は、その先端側にＯ２  センサ１４のねじ込み操作部２０を嵌合する六角状嵌合孔３８を有し、この嵌合孔３８にセンサ本体部２２を収容するための円筒部４０が連なっている。円筒部４０の外周面には、組電線２６を外方に引き出すためのスリット４２が軸方向に延在して形成される。
【００１９】
ソケット部３２の後端部には、このソケット部３２の円筒部４０よりも大径な略円柱状のリール部３４が設けられ、このリール部３４の前記ソケット部３２と反対側の端部にフランジ部４４が形成される。このフランジ部４４側の端部に、インパクトレンチ等の入力用工具と連結可能なボス状の工具結合部４６が一体的に設けられる。
【００２０】
リール部３４のソケット部３２側の周面部には、略９０°の角度を有して切り欠いた窪み部４８が設けられ、この窪み部４８に可倒式ガイド手段３６が装着される。可倒式ガイド手段３６は、窪み部４８を構成する垂直面５０ａに支軸５２を介して揺動可能に支持される爪片（係止部材）５４と、この爪片５４をリール部３４の巻取面より径方向外方に突出するガイド姿勢に付勢するスプリング（弾性部材）５６とを備える。
【００２１】
爪片５４は、スプリング５６側に湾曲面を有し、そのガイド姿勢（図３中、実線参照）で底面５８が窪み部４８の水平面５０ｂに当接して支持され、このガイド姿勢からソケット３２側にのみ傾動可能である（図３中、二点鎖線参照）。スプリング５６は、ピン６０を介して垂直面５０ａに支持されており、一端が爪片５４の湾曲面側に当接するとともに、他端がこの垂直面５０ａに植設された支持ピン６２に当接支持される。
【００２２】
次に、このように構成される第１の実施例に係る締め付け工具３０の動作について説明する。
【００２３】
先ず、図４に示すように、Ｏ２  センサ１４のセンサ本体部２２がソケット部３２の円筒部４０内に挿入されるとともに、ねじ込み操作部２０が前記ソケット部３２の嵌合孔３８に嵌合される。このセンサ本体部２２に一体的に設けられた組電線２６は、ソケット部３２のスリット４２から外方に引き出され、可倒式ガイド手段３６を構成する爪片５４に引っ掛けられて締め付け回転方向（矢印Ａ方向）と反対側に延在している。
【００２４】
そこで、工具結合部４６にインパクトレンチ等の入力用工具を係合させ、締め付け工具３０を自動的に、あるいは手作業で回転させる。その際、組電線２６に連結されているカプラー２４を、作業者が片手で支えておくことが望ましい。
【００２５】
図５に示すように、締め付け工具３０が矢印Ａ方向に回転すると、ソケット部３２の嵌合孔３８に嵌合するねじ込み操作部２０が回転し、ねじ部１８が触媒コンバータ１０のねじ溝１２に螺合する。ここで、リール部３４がソケット部３２と一体的に矢印Ａ方向に回転するため、爪片５４にガイドされている組電線２６は、このリール部３４の周面に円滑に巻き取られていく。
【００２６】
ねじ込み操作部２０のねじ部１８がねじ溝１２に螺合され、Ｏ２  センサ１４のねじ込み作業が終了した後、図６に示すように、締め付け工具３０が矢印Ｂ方向に引き抜かれてソケット部３２がねじ込み操作部２０から離脱される。その際、Ｏ２  センサ１４が触媒コンバータ１０にねじ込まれているため、締め付け工具３０が矢印Ｂ方向に引き抜かれると、可倒式ガイド手段３６を構成する爪片５４には、組電線２６を介して矢印Ａ方向とは逆方向の引張力が作用する。このため、爪片５４は、スプリング５６の弾発力に抗してソケット部３２側に揺動（傾動）し、リール部３４に巻き付けられている組電線２６は、このリール部３４から円滑に取り外される。
【００２７】
このように、第１の実施例では、ソケット部３２を介してねじ込み操作部２０が回転される際、センサ本体部２２に一体的に設けられた組電線２６は、爪片５４に係合してリール部３４の周面に円滑に巻き取られている。従って、Ｏ２  センサ１４のねじ込み作業時に、組電線２６の捩れを有効に阻止することができるとともに、この組電線２６が振り回されて周辺機器等に損傷を与えることを確実に防止することが可能になる。
【００２８】
さらに、ねじ込み完了後に、締め付け工具３０をＯ２  センサ１４から引き抜く動作を行うだけで、爪片５４が組電線２６の引張力を介してソケット部３２側に揺動し、リール部３４に巻き付けられていた前記組電線２６がこのリール部３４から円滑に取り外される。これにより、爪片５４をソケット部３２側に揺動させるための特別な機構を必要とせず、簡単な構造および操作によって組電線２６をリール部３４から円滑に取り外すことができる。従って、Ｏ２  センサ１４の締め付け作業時における組電線２６の取り扱い作業性が一挙に向上し、しかも作業効率の向上およびコストダウンが容易に達成されるという効果が得られる。
【００２９】
次に、第２の実施例に係る締め付け工具７０について、図７および図８を参照して説明する。なお、第１の実施例に係る締め付け工具３０と同一の構成要素には同一の参照数字を付してその詳細な説明は省略する。
【００３０】
第２の実施例に係る締め付け工具７０は、リール部３４および可倒式ガイド手段７２が設けられた工具本体７４と、この工具本体７４に着脱自在に構成されるソケット部７６とを備える。
【００３１】
工具本体７４の端面には、軸方向に所定の長さにわたって取付孔７８が形成されており、リール部３４には、等角度間隔離間しかつ軸方向に対し傾斜して取付孔７８に開口する螺孔８０ａ〜８０ｃが設けられ、前記螺孔８０ａ〜８０ｃにセットビス８２ａ〜８２ｃが螺合される。ソケット部７６は、工具本体７４の取付孔７８にＯリング８４を介して嵌合され、セットビス８２ａ〜８２ｃの先端部により前記工具本体７４に対し固定される（図８参照）。
【００３２】
可倒式ガイド手段７２には、爪片５４をガイド姿勢に保持するための付勢力を調整可能な付勢力調整手段８６が設けられる。この付勢力調整手段８６は、工具本体７４の垂直面５０ａにボルト８８を介して固定される偏心カム９０を備え、この偏心カム９０の外周面によりスプリング５６の端部が支持される。偏心カム９０は、スプリング５６の端部に当接する外周面形状が選択されることにより、該スプリング５６による爪片５４の付勢力を調整する。
【００３３】
このように構成される第２の実施例に係る締め付け工具７０では、ソケット部７６が工具本体７４に対し着脱自在に構成されているため、ねじ込み部品としてＯ２  センサ１４とは異なるセンサ類が用いられる場合やねじ込み操作部２０の形状や寸法が異なる場合に、前記ソケット部７６のみを変更するだけでよい。これにより、同一の工具本体７４を有効に活用することが可能になり、前記工具本体７４の汎用性が向上するという効果が得られる。
【００３４】
さらに、可倒式ガイド手段３６に付勢力調整手段８６が設けられており、この付勢力調整手段８６を構成する偏心カム９０の角度位置を変更するだけで、スプリング５６による爪片５４への付勢力が容易に調整される。このため、組電線２６の強度等に応じて爪片５４の操作力を調整することが可能になり、汎用性の向上に寄与することができる。
【００３５】
【発明の効果】
本発明に係る索条部材付き部品用締め付け工具によれば、以下の効果乃至利点が得られる。
【００３６】
部品のねじ込み操作部が嵌合されたソケット部が回転されると、前記部品に一体的に設けられた索条部材が可倒式ガイド手段に案内されてリール部に確実に巻き取られる。そして、締め付け作業が完了した後、ソケット部をねじ込み操作部から離脱させると、可倒式ガイド手段がガイド姿勢から解除され、索条部材がリール部から円滑に取り外される。これによって、索条部材の捩れや周辺機器等との干渉を確実に阻止することができ、部品の締め付け作業全体の効率化が可能になる。
【００３７】
また、ソケット部が工具本体に着脱自在に構成されるため、部品およびねじ込み操作部の形状や寸法が異なる際に、ソケット部のみを交換するだけでよく、同一の工具本体を有効に活用することができ、汎用性の向上が図られる。
【００３８】
さらに、可倒式ガイド手段が、弾性部材に付勢される係止部材を備えており、締め付け作業後に締め付け工具が引張されると、索条部材の引張作用下にこの係止部材が弾性部材に抗してガイド姿勢から解除される。これによって、可倒式ガイド手段を駆動するための特別な構造を必要とせず、締め付け工具全体の構成を簡素化することができるとともに、操作が容易なものとなる。
【００３９】
さらにまた、付勢力調整手段が設けられているため、索条部材の強度に応じて可倒式ガイド手段の付勢力を調整することが可能になり、汎用性が向上する。
【図面の簡単な説明】
【図１】本発明に係る締め付け工具が使用されるＯ２  センサの説明図である。
【図２】第１の実施例に係る締め付け工具の概略斜視図である。
【図３】前記締め付け工具を構成する可倒式ガイド手段の側面図である。
【図４】ソケット部にＯ２  センサをセットした状態の説明図である。
【図５】前記ソケット部を回転させた状態の説明図である。
【図６】前記ソケット部を引き抜く際の説明図である。
【図７】第２の実施例に係る締め付け工具の分解斜視図である。
【図８】前記締め付け工具の正面図である。
【符号の説明】
１４…Ｏ２  センサ                  ２０…ねじ込み操作部
２２…センサ本体部                ２４…カプラー
２６…組電線（ハーネス）          ３０…締め付け工具
３２…ソケット部                  ３４…リール部
３６…可倒式ガイド手段            ３８…嵌合孔
４０…円筒部                      ４２…スリット
４６…工具結合部                  ４８…窪み部
５０ａ…垂直面                    ５０ｂ…水平面
５４…爪片                        ５６…スプリング
７０…締め付け工具                ７２…可倒式ガイド手段
７４…工具本体                    ７６…ソケット部
７８…取付孔                      ８６…付勢力調整手段
９０…偏心カム
【図１】
0003548262.tif 000002
【図２】
0003548262.tif 000003
【図３】
0003548262.tif 000004
【図４】
0003548262.tif 000005
【図５】
0003548262.tif 000006
【図６】
0003548262.tif 000007
【図７】
0003548262.tif 000008
【図８】
0003548262.tif 000009